(57)【要約】【課題】外気を有効活用しつつ空調機器の故障を抑制することができる通風制御装置を提供する。【解決手段】通風制御装置１は、温度情報取得部１１、温度調整部１２、時間計測部１３、時間比較部１４、閾値設定部１５を備える。温度情報取得部１１は、屋内気温Ｃ１、外気温Ｃ２を取得する。温度調整部１２は、通気部材２、空調機器３を制御する動作モードを切り替え、屋内気温Ｃ１を目標温度範囲Ｃ１０内に調整する。時間計測部１３は、通気時間を計測する。時間比較部１４は、通気時間と第２閾値とを比較する。閾値設定部１５は、通気時間が第２閾値以上である場合、第１閾値の設定値を維持し、通気時間が第２閾値未満である場合、第１閾値の設定値を増加させる。【選択図】図１
2016070522.tif 000002
【特許請求の範囲】
【請求項１】
屋内温度の情報、および屋外温度の情報を取得する温度情報取得部と、
屋内と屋外との間を通気状態と通気停止状態とに切り替える通気部材、および屋内の温熱環境を調整する空調機器を制御する動作モードを、前記屋内温度と前記屋外温度との温度差と第１閾値との比較結果に基づいて、前記通気部材を通気状態、且つ前記空調機器を停止させる通気モードと、前記通気部材を通気停止状態、且つ前記空調機器を稼働させる空調モードとの一方に切り替えることで、前記屋内温度を目標温度範囲内に調整する温度調整部と、
前記通気モードが継続する通気時間を計測する時間計測部と、
前記通気時間と第２閾値とを比較する時間比較部と、
前記通気時間と前記第２閾値との比較結果に基づいて、前記第１閾値の更新処理を行う閾値設定部とを備え、
前記温度調整部は、
前記空調モード時において、前記屋内温度が前記目標温度範囲の下限値以下、且つ前記屋内温度と前記屋外温度との温度差が前記第１閾値以上である場合、前記動作モードを前記空調モードから前記通気モードに切り替え、
前記通気モード時において、前記屋内温度が前記目標温度範囲の上限値以上となった場合、前記動作モードを前記通気モードから前記空調モードに切り替え、
前記閾値設定部は、
前記通気時間が前記第２閾値以上である場合、前記第１閾値の設定値を維持し、
前記通気時間が前記第２閾値未満である場合、前記第１閾値の設定値を増加させる、
前記第１閾値の更新処理を行う
ことを特徴とする通風制御装置。
【請求項２】
前記閾値設定部は、前記第１閾値の設定範囲が決められており、前記第１閾値の初期値を前記設定範囲の下限値に設定し、前記通気時間が前記第２閾値未満である場合、前記第１閾値の設定値を増加させる前記第１閾値の更新処理を行う
ことを特徴とする請求項１記載の通風制御装置。
【請求項３】
前記閾値設定部は、所定日数毎に前記第１閾値の設定値を低減させる
ことを特徴とする請求項２記載の通風制御装置。
【請求項４】
前記閾値設定部は、前記第１閾値の設定値が所定日数連続して同じ値である場合、または前記第１閾値の更新処理において前記第１閾値の設定値の維持を所定回数連続して行った場合、前記第１閾値の設定値を低減させる
ことを特徴とする請求項２記載の通風制御装置。
【請求項５】
前記閾値設定部は、
前記通気時間が前記第２閾値未満である場合、前記第１閾値の設定値を増加させ、
前記通気時間が前記第２閾値以上、且つ前記第２閾値よりも大きい第３閾値未満である場合、前記第１閾値の設定値を維持し、
前記通気時間が前記第３閾値以上である場合、前記第１閾値の設定値を低減させる、
前記第１閾値の更新処理を行う、
ことを特徴とする請求項１記載の通風制御装置。
【請求項６】
前記屋内温度と前記屋外温度との温度差に対応付けて設定された前記通気モード時における前記屋内温度の時間変化の基準データが予め格納された記憶部を備え、
前記閾値設定部は、前記通気時間が前記第２閾値以上、且つ前記第３閾値未満となるように、前記第２閾値、前記目標温度範囲、および前記基準データに基づいて前記第１閾値の初期値を設定する
ことを特徴とする請求項５記載の通風制御装置。
【請求項７】
前記屋内温度と前記屋外温度との温度差に対応付けて設定された前記通気モード時における前記屋内温度の時間変化の基準データが予め格納された記憶部を備え、
前記閾値設定部は、前記通気モード時における前記屋内温度の時間変化の傾きの実測値と、前記記憶部に格納された前記基準データに基づく前記屋内温度の時間変化の傾きの基準値との差が所定値以内である場合、前記第１閾値の更新処理を行う
ことを特徴とする請求項１〜５のうちいずれか１項に記載の通風制御装置。
【請求項８】
請求項１〜７のうちいずれか１項に記載の通風制御装置と、
前記通気部材と、
前記空調機器と、
前記屋内温度を計測する第１計測部と、
前記屋外温度を計測する第２計測部とを備える
ことを特徴とする通風制御システム。
【請求項９】
コンピュータを、請求項１〜７のうちいずれか１項に記載の通風制御装置として機能させる
ことを特徴とするプログラム。
【発明の詳細な説明】
【技術分野】
【０００１】
本発明は、屋内の通風を制御する通風制御装置、通風制御システム、プログラムに関する。
【背景技術】
【０００２】
従来、空調機器と換気装置とを用いて空気調和を行う技術が開示されている（例えば、特許文献１参照）。従来技術では、空調機器と換気装置の運転状態を切り替えることで、屋内環境が快適となるように制御している。
【先行技術文献】
【特許文献】
【０００３】
【特許文献１】特開２００１−２６３７５７号公報
【発明の概要】
【発明が解決しようとする課題】
【０００４】
従来技術では、換気による外気を利用するためには、空調機器の稼働と停止を繰り返す必要があった。しかし、空調機器が稼働と停止を繰り返すことによって、空調機器の故障確率が増加するおそれがあった。
【０００５】
本発明は、上記事由に鑑みてなされており、その目的は、外気を有効活用しつつ空調機器の故障を抑制することができる通風制御装置、通風制御システム、プログラムを提供することにある。
【課題を解決するための手段】
【０００６】
本発明の通風制御装置は、屋内温度の情報、および屋外温度の情報を取得する温度情報取得部と、屋内と屋外との間を通気状態と通気停止状態とに切り替える通気部材、および屋内の温熱環境を調整する空調機器を制御する動作モードを、前記屋内温度と前記屋外温度との温度差と第１閾値との比較結果に基づいて、前記通気部材を通気状態、且つ前記空調機器を停止させる通気モードと、前記通気部材を通気停止状態、且つ前記空調機器を稼働させる空調モードとの一方に切り替えることで、前記屋内温度を目標温度範囲内に調整する温度調整部と、前記通気モードが継続する通気時間を計測する時間計測部と、前記通気時間と第２閾値とを比較する時間比較部と、前記通気時間と前記第２閾値との比較結果に基づいて、前記第１閾値の更新処理を行う閾値設定部とを備え、前記温度調整部は、前記空調モード時において、前記屋内温度が前記目標温度範囲の下限値以下、且つ前記屋内温度と前記屋外温度との温度差が前記第１閾値以上である場合、前記動作モードを前記空調モードから前記通気モードに切り替え、前記通気モード時において、前記屋内温度が前記目標温度範囲の上限値以上となった場合、前記動作モードを前記通気モードから前記空調モードに切り替え、前記閾値設定部は、前記通気時間が前記第２閾値以上である場合、前記第１閾値の設定値を維持し、前記通気時間が前記第２閾値未満である場合、前記第１閾値の設定値を増加させる、前記第１閾値の更新処理を行うことを特徴とする。
【０００７】
本発明の通風制御システムは、上記通風制御装置と、前記通気部材と、前記空調機器と、前記屋内温度を計測する第１計測部と、前記屋外温度を計測する第２計測部とを備えることを特徴とする。
【０００８】
本発明のプログラムは、コンピュータを上記通風制御装置として機能させることを特徴とする。
【発明の効果】
【０００９】
本発明では、外気を有効活用しつつ空調機器の故障を抑制することができるという効果がある。
【図面の簡単な説明】
【００１０】
【図１】実施形態１の概略構成図である。
【図２】実施形態１における温度調整制御を示すフローチャートである。
【図３】実施形態１における第１閾値の更新処理を示すフローチャートである。
【図４】実施形態１における屋内気温、外気温の変化を示すグラフである。
【図５】実施形態１における屋内気温、外気温の変化を示すグラフである。
【図６】実施形態１におけるＨＥＭＳコントローラの概略構成図である。
【図７】実施形態２の概略構成図である。
【図８】記憶部に格納された基準データを示すグラフである。
【図９】実施形態２における第１閾値の更新処理を示すフローチャートである。
【図１０】実施形態２における屋内気温、外気温の変化を示すグラフである。
【図１１】実施形態２における屋内気温、外気温の変化を示すグラフである。
【図１２】実施形態３の概略構成図である。
【図１３】実施形態３における第１閾値の更新処理を示すフローチャートである。
【図１４】実施形態３における屋内気温、外気温の変化を示すグラフである。
【発明を実施するための形態】
【００１１】
以下、本発明の実施の形態を図面に基づいて説明する。
（実施形態１）
本実施形態の概略構成を図１に示す。本実施形態は、戸建住宅５に設けられ、窓２１、通風口２２、換気扇２３などの通気部材２、および空調機器３を制御することで、屋内環境が快適となるように制御する通風制御装置１であり、気温が比較的高い夏季の就寝時に使用されることを想定している。なお、以下の説明では、通風制御装置１が戸建住宅５に設けられる場合を例として説明するが、通風制御装置１の設置場所は戸建住宅５に限定せず、例えば集合住宅、店舗、事務所、工場などに設けられていてもよい。
【００１２】
本実施形態の通風制御装置１は、プログラムを実行することによって以下の機能を実現するコンピュータを主なハードウェア構成として備える。この種のコンピュータは、通風制御専用のコンピュータ、汎用のパーソナルコンピュータなどの設置型の端末装置の他、スマートフォン、タブレット端末などの可搬型の端末装置から選択されてもよい。また、コンピュータは、マイコン（microcontroller）のようにプロセッサとメモリとを一体に備える構成であってもよい。また、プログラムは、ＲＯＭ（Read Only Memory）にあらかじめ書き込まれる他、インターネットのような電気通信回線を通して提供されるようにしてもよい。また、コンピュータで読み取り可能な記録媒体によりプログラムが提供されてもよい。
【００１３】
以下に、本実施形態の通風制御装置１の構成について図１を用いて説明する。
【００１４】
本実施形態の通風制御装置１は、温度情報取得部１１、温度調整部１２、時間計測部１３、時間比較部１４、および閾値設定部１５を備える。また、本実施形態では、通風制御装置１、通気部材２、空調機器３、第１計測部４１、および第２計測部４２で、通風制御システム１０を構成している。
【００１５】
温度情報取得部１１は、例えばサーミスタを用いて温度を計測する温度センサで構成された第１計測部４１、および第２計測部４２と通信可能に構成されている。そして、温度情報取得部１１は、第１計測部４１、および第２計測部４２それぞれから温度計測結果を取得する。
【００１６】
第１計測部４１は、屋内５１（例えば居室内）に設けられており、屋内温度として屋内５１の気温（以降、屋内気温Ｃ１という）を計測する。そして、第１計測部４１は、温度計測結果（屋内気温Ｃ１）を所定の時間間隔で温度情報取得部１１に送信する。
【００１７】
第２計測部４２は、屋外５２に設けられており、屋外温度として屋外５２の気温（以降、外気温Ｃ２という）を計測する。そして、第２計測部４２は、温度計測結果（外気温Ｃ２）を所定の時間間隔で温度情報取得部１１に送信する。
【００１８】
温度調整部１２は、屋内５１と屋外５２との間を通気状態と通気停止状態とに切り替える通気部材２と、屋内５１の温熱環境を調整する空調機器３とを制御することで、屋内気温Ｃ１を目標温度範囲Ｃ１０内に調整する。ここで、目標温度範囲Ｃ１０は、ユーザが快適と感じる快適温度範囲Ｃ１００内に設定されている。本実施形態では、目標温度範囲Ｃ１０の上限値（以降、目標上限温度Ｃ１１という）が快適温度範囲Ｃ１００の上限値と一致し、目標温度範囲Ｃ１０の下限値（以降、目標下限温度Ｃ１２という）が快適温度範囲Ｃ１００の下限値よりも高い値に設定されている。
【００１９】
通気部材２は、窓２１、開閉可能な通風口２２、換気扇２３などで構成されており、温度調整部１２に制御されることで、屋内５１と屋外５２との間を通気状態と通気停止状態とに切り替える。窓２１には、窓２１を開閉駆動する駆動部２１１が設けられており、駆動部２１１は、温度調整部１２からの制御信号に基づいて窓２１を開閉する。また、通風口２２には、通風口２２を開閉駆動する駆動部２２１が設けられており、駆動部２２１は、温度調整部１２からの制御信号に基づいて通風口２２を開閉する。そして、窓２１および通風口２２は、開状態となることで通気状態となり、閉状態となることで通気停止状態となる。また、換気扇２３は、温度調整部１２からの制御信号に基づいて稼働することで通気状態となり、停止することで通気停止状態となる。なお、本実施形態では、通気部材２として窓２１、換気扇２３、通風口２２が設けられているが、少なくともいずれか１つを備えた構成であればよい。なお、窓２１、通風口２２、換気扇２３を区別しない場合、通気部材２という。
【００２０】
空調機器３は、屋内５１の温熱環境を調整するエアコンで構成されている。そして、空調機器３は、温度調整部１２からの制御信号に基づいて稼働、停止する。また、本実施形態では、空調機器３の稼働時における設定温度は、目標下限温度Ｃ１２に設定されている。
【００２１】
また、温度調整部１２は、通気部材２および空調機器３を制御する動作モードとして通気モードと空調モードとを備えている。通気モードは、通気部材２を通気状態、且つ空調機器３を停止させる動作モードであり、空調モードは、通気部材２を通気停止状態、且つ空調機器３を稼働させる動作モードである。そして、温度調整部１２は、屋内気温Ｃ１と外気温Ｃ２との温度差（屋内気温Ｃ１−外気温Ｃ２）と、後述する閾値設定部１５によって設定された第１閾値との比較結果、および屋内気温Ｃ１に基づいて、動作モードを選択する。なお、以降の説明では、屋内気温Ｃ１と外気温Ｃ２との温度差を内外温度差Ｃ３という。具体的には、温度調整部１２は、空調モード時において、屋内気温Ｃ１が目標下限温度Ｃ１２以下、且つ内外温度差Ｃ３が第１閾値以上である場合、動作モードを空調モードから通気モードに切り替える。また、温度調整部１２は、通気モード時において、屋内気温Ｃ１が目標上限温度Ｃ１１以上となった場合、動作モードを通気モードから空調モードに切り替える。このように、温度調整部１２は、動作モードを空調モードと通気モードとの一方に切り替えることで、屋内気温Ｃ１を目標温度範囲Ｃ１０内に調整する。
【００２２】
時間計測部１３は、通気モードの継続時間を通気時間として計測する。時間計測部１３は、温度調整部１２の動作モードが空調モードから通気モードに切り替わった際に、内外温度差Ｃ３と第１閾値とが一致している場合、通気時間のカウントを開始する。そして、時間計測部１３は、温度調整部１２の動作モードが通気モードから空調モードに切り替わった際に、通気時間のカウントを終了することで、通気時間を計測する。そして、時間計測部１３は、計測した通気時間を時間比較部１４に出力する。なお、時間計測部１３は、計測した通気時間を時間比較部１４に出力した後、カウント値をリセットする。
【００２３】
時間比較部１４は、時間計測部１３が計測した通気時間と、予め設定された第２閾値とを比較する。この第２閾値は、通気時間の目標値であり、ユーザによって任意に設定することができる。そして、時間比較部１４は、通気時間と第２閾値との比較結果を閾値設定部１５に出力する。
【００２４】
閾値設定部１５は、時間比較部１４の比較結果に基づいて、第１閾値の更新処理を行う。閾値設定部１５は、通気時間が第２閾値以上である場合、すなわち通気時間の実測値が目標値以上である場合、第１閾値の設定値を維持する更新処理を行う。一方、閾値設定部１５は、通気時間が第２閾値未満である場合、すなわち通気時間の実測値が目標値未満である場合、第１閾値の設定値を増加させる更新処理を行い、通気時間が長くなるように制御する。なお、第１閾値には、予め設定範囲が決められており、本実施形態の閾値設定部１５は、第１閾値の初期値を設定範囲の下限値に設定している。
【００２５】
次に、温度調整部１２による屋内気温Ｃ１の温度調整制御について、図２に示すフローチャートを用いて詳細に説明する。
【００２６】
まず、温度調整部１２は、屋内気温Ｃ１と目標下限温度Ｃ１２とを比較する（Ｓ１）。温度調整部１２は、屋内気温Ｃ１が目標下限温度Ｃ１２未満である場合、待機状態となり通気モードも空調モードも実行せず、処理が終了する。すなわち、屋内気温Ｃ１が目標下限温度Ｃ１２未満である場合、屋内気温Ｃ１が目標下限温度Ｃ１２以上となるまで、通気部材２が通気停止状態、空調機器３が停止状態となる。一方、屋内気温Ｃ１が目標下限温度Ｃ１２以上である場合、温度調整部１２は空調モードを実行し、屋内気温Ｃ１が目標下限温度Ｃ１２となるように空調機器３を稼働（冷房運転）させる（Ｓ２）。
【００２７】
次に、温度調整部１２は、屋内気温Ｃ１と目標下限温度Ｃ１２とを比較し、屋内気温Ｃ１が目標下限温度Ｃ１２と一致するように空調モードを継続する（Ｓ３）。そして、温度調整部１２は、屋内気温Ｃ１が目標下限温度Ｃ１２と一致した場合、内外温度差Ｃ３と第１閾値とを比較し、内外温度差Ｃ３が第１閾値以上となるまで空調モードを継続する（Ｓ４）。温度調整部１２は、内外温度差Ｃ３が第１閾値以上となった場合、動作モードを空調モードから通気モードに切り替える、すなわち空調機器３を停止させ、通気部材２を通気状態とする（Ｓ５）。
【００２８】
そして、温度調整部１２は、屋内気温Ｃ１と目標上限温度Ｃ１１とを比較し、屋内気温Ｃ１が目標上限温度Ｃ１１以上となるまで通気モードを継続する（Ｓ６）。温度調整部１２は、屋内気温Ｃ１が目標上限温度Ｃ１１以上となった場合、動作モードを通気モードから空調モードに切り替える（Ｓ２）。
【００２９】
このように、温度調整部１２は、屋内気温Ｃ１、内外温度差Ｃ３、目標上限温度Ｃ１１および目標下限温度Ｃ１２を比較し、動作モードを空調モードと通気モードとの一方に切り替えることで、屋内気温Ｃ１を目標温度範囲Ｃ１０内に調整する。
【００３０】
次に、第１閾値の更新処理について、図３に示すフローチャートを用いて詳細に説明する。
【００３１】
まず、時間計測部１３は、温度調整部１２が通気モードの実行開始時における、内外温度差Ｃ３と第１閾値とが一致しているか否かを判断する（Ｓ１１）。時間計測部１３は、通気モードの実行開始時において、内外温度差Ｃ３が第１閾値よりも大きい場合、通気時間のカウントを行わない。この場合、第１閾値の更新処理が行われず終了する。
【００３２】
一方、時間計測部１３は、通気モードの実行開始時において、内外温度差Ｃ３と第１閾値とが一致している場合、通気時間をカウントする（Ｓ１２）。時間計測部１３は、通気モードの実行開始から通気モードの終了までの通気時間をカウントし、計測結果を時間比較部１４に出力する。
【００３３】
時間比較部１４は、時間計測部１３が計測した通気時間と第２閾値とを比較する（Ｓ１３）。そして、閾値設定部１５は、通気時間が第２閾値以上である場合、第１閾値の設定値を現在の値に維持する更新処理を行う（Ｓ１４）。一方、閾値設定部１５は、通気時間が第２閾値未満である場合、第１閾値の設定値を現在の値から所定値増加させる更新処理を行う（Ｓ１５）。
【００３４】
次に、図４、図５に示す屋内気温Ｃ１および外気温Ｃ２のグラフを用いて、本実施形態の通風制御装置１の動作の一例を説明する。図４は、制御初日における通風制御装置１の動作の一例であり、図５は、制御二日目における通風制御装置１の動作の一例である。ここでは、夏季における夜間の就寝時を想定しており、図４、図５に示すように、外気温Ｃ２は屋内気温Ｃ１よりも低く時間経過とともに低下する。また、第２閾値の設定値は値Ｔｘ１に設定されており、以降の説明では「第２閾値Ｔｘ１」という。
【００３５】
まず、図４を用いて制御初日における通風制御装置１の動作について説明する。なお、制御初日であるので、第１閾値の設定値は、第１閾値の設定範囲の下限値である初期値Ｃｘ１に設定されており、以降の説明では、第１閾値の設定値が初期値Ｃｘ１である場合、「第１閾値Ｃｘ１」という。
【００３６】
時間ｔ１において、制御が開始される。このとき、屋内気温Ｃ１が目標下限温度Ｃ１２以上であるので、温度調整部１２は、空調モードを実行し、屋内気温Ｃ１が目標下限温度Ｃ１２となるように空調機器３を冷房運転させる。
【００３７】
時間ｔ２において、屋内気温Ｃ１が目標下限温度Ｃ１２と一致する。このとき、内外温度差Ｃ３が第１閾値Ｃｘ１未満であるので、温度調整部１２は、内外温度差Ｃ３が第１閾値Ｃｘ１以上となるまで、空調モードを継続し屋内気温Ｃ１を目標下限温度Ｃ１２に維持する。
【００３８】
時間ｔ３において、内外温度差Ｃ３が第１閾値Ｃｘ１と一致し、温度調整部１２は、動作モードを空調モードから通気モードに切り替える、すなわち空調機器３を停止し、通気部材２を通気状態にする。また、時間計測部１３は、通気モードの実行開始時における内外温度差Ｃ３と第１閾値Ｃｘ１と一致しているので、通気時間のカウントを開始する。
【００３９】
ここで、図４に示すように、時間ｔ３から開始される通気モード時において、本実施形態では外気温Ｃ２が屋内気温Ｃ１よりも低い状態であるが、居室内の人、電気機器などの発熱によって屋内気温Ｃ１が上昇する。温度調整部１２は、屋内気温Ｃ１が目標上限温度Ｃ１１以上となるまで、通気モードを継続する。
【００４０】
時間ｔ４において、屋内気温Ｃ１が目標上限温度Ｃ１１と一致し、温度調整部１２は、動作モードを通気モードから空調モードに切り替える、すなわち通気部材２を通気停止状態とし、屋内気温Ｃ１が目標下限温度Ｃ１２となるように空調機器３を冷房運転させる。また、時間計測部１３は、通気時間のカウントを終了する。このとき時間計測部１３が計測した通気時間を「通気時間Ｔ１」とする。時間比較部１４は、時間計測部１３が計測した通気時間Ｔ１と第２閾値Ｔｘ１とを比較する。そして、閾値設定部１５は、通気時間Ｔ１と第２閾値Ｔｘ１との比較結果に基づいて第１閾値の更新処理を行う。ここでは、図４に示すように通気時間Ｔ１が第２閾値Ｔｘ１未満であり、閾値設定部１５は、初期値Ｃｘ１に所定値を足した値Ｃｘ２を第１閾値の設定値とする更新処理を行う。以降、第１閾値の設定値が値Ｃｘ２である場合、「第１閾値Ｃｘ２」という。
【００４１】
時間ｔ５において、屋内気温Ｃ１が目標下限温度Ｃ１２と一致する。このとき、内外温度差Ｃ３が第１閾値Ｃｘ２以上であるので、温度調整部１２は、動作モードを空調モードから通気モードに切り替える。また、通気モードの実行開始時における内外温度差Ｃ３が第１閾値Ｃｘ２よりも大きいので、時間計測部１３は通気時間のカウントを行わず、第１閾値Ｃｘ２の更新処理が行われない。そして、時間ｔ５以降は、温度調整部１２が通気モードと空調モードとを交互に繰り返して、屋内気温Ｃ１を目標温度範囲Ｃ１０内に調整する。なお、制御初日において、時間ｔ５以降は、第１閾値Ｃｘ２の更新処理は行われていないとする。
【００４２】
次に、図５を用いて制御二日目における通風制御装置１の動作について説明する。なお、第１閾値の設定値は、制御初日における第１閾値の更新処理によって値Ｃｘ２に設定されている。
【００４３】
時間ｔ１１において、制御が開始される。このとき、屋内気温Ｃ１が目標下限温度Ｃ１２以上であるので、温度調整部１２は、空調モードを実行し、屋内気温Ｃ１が目標下限温度Ｃ１２となるように空調機器３を冷房運転させる。
【００４４】
時間ｔ１２において、屋内気温Ｃ１が目標下限温度Ｃ１２と一致する。このとき、内外温度差Ｃ３が第１閾値Ｃｘ２未満であるので、温度調整部１２は、内外温度差Ｃ３が第１閾値Ｃｘ２以上となるまで、空調モードを継続し屋内気温Ｃ１を目標下限温度Ｃ１２に維持する。
【００４５】
時間ｔ１３において、内外温度差Ｃ３が第１閾値Ｃｘ２と一致し、温度調整部１２は、動作モードを空調モードから通気モードに切り替える。そして、温度調整部１２は、屋内気温Ｃ１が目標上限温度Ｃ１１以上となるまで、通気モードを継続する。また、時間計測部１３は、通気モードの実行開始時における内外温度差Ｃ３と第１閾値Ｃｘ２と一致しているので、通気時間のカウントを開始する。
【００４６】
時間ｔ１４において、屋内気温Ｃ１が目標上限温度Ｃ１１と一致し、温度調整部１２は、動作モードを通気モードから空調モードに切り替え、空調機器３を冷房運転させる。また、時間計測部１３は、通気時間のカウントを終了する。このとき時間計測部１３が計測した通気時間を「通気時間Ｔ２」とする。時間比較部１４は、時間計測部１３が計測した通気時間Ｔ２と第２閾値Ｔｘ１とを比較する。ここで、内外温度差Ｃ３が、初期値Ｃｘ１よりも大きい値Ｃｘ２と一致した状態で、通気モードが実行開始されている。したがって、図５に示すように、通気時間Ｔ２は、通気時間Ｔ１よりも長くなり、第２閾値Ｔｘ１以上となっている。したがって、閾値設定部１５は、第１閾値の設定値を値Ｃｘ２に維持する更新処理を行う。
【００４７】
時間ｔ１５において、屋内気温Ｃ１が目標下限温度Ｃ１２と一致する。このとき、内外温度差Ｃ３が第１閾値Ｃｘ２以上であるので、温度調整部１２は、動作モードを空調モードから通気モードに切り替える。また、通気モードの実行開始時における内外温度差Ｃ３が第１閾値Ｃｘ２よりも大きいので、時間計測部１３は通気時間のカウントを行わず、第１閾値Ｃｘ２の更新処理が行われない。そして、時間ｔ１５以降は、温度調整部１２が通気モードと空調モードとを交互に繰り返して、屋内気温Ｃ１を目標温度範囲Ｃ１０内に調整する。
【００４８】
このように、本実施形態では、通気時間が目標値である第２閾値以上となるように、通気モードの実行開始の条件において内外温度差Ｃ３との比較演算に用いられる第１閾値が最適な値に更新される。これにより、通気時間を確保することができ、外気を有効活用することができる。また、通気時間、すなわち空調機器３が停止してから再稼働するまでの間隔が確保され、さらに、空調機器３が稼働・停止を繰り返す回数も低減されるので、空調機器３の故障を抑制することができる。
【００４９】
なお、上述した通風制御の機能は、専用の装置（通風制御装置１）とは異なる装置が備えていてもよい。専用の装置（通風制御装置１）とは異なる装置の一例として、例えば防犯や防災のために家庭内に設置された機器に、本来の防犯や防災の機能に加えて上述した通風制御の機能を実装してもよい。このような機器の例としては、インターホンなどが挙げられ、リビングの壁に固定された位置固定型、携帯携行無線型、可搬型などいずれであってもよい。また、家庭内の無線通信をサポートするWiFi（登録商標）などに代表される無線通信中継機器（例えば無線ルータ、無線ゲートウェイなど）に、上述した通風制御の機能をアドオン実装してもよい。また、例えば図６に示すようにＨＥＭＳ（Home Energy Management System）に用いられるＨＥＭＳコントローラ１００が備えていてもよい。このＨＥＭＳコントローラ１００は、電力情報取得部１６に加えて、上述した温度情報取得部１１、温度調整部１２、時間計測部１３、時間比較部１４、および閾値設定部１５を備えている。電力情報取得部１６は、例えば分岐回路毎の消費電力を計測する電力計測部１０１と通信可能に構成されており、例えば電気負荷の消費電力を電力に関する情報として取得し、モニター１０２に表示する。
【００５０】
上述したように、本実施形態の通風制御装置１は、温度情報取得部１１、温度調整部１２、時間計測部１３、時間比較部１４、および閾値設定部１５を備える。
【００５１】
温度情報取得部１１は、屋内気温Ｃ１（屋内温度）の情報、および外気温Ｃ２（屋外温度）の情報を取得する。
【００５２】
温度調整部１２は、屋内５１と屋外５２との間における通気状態と通気停止状態とを切り替える通気部材２、および屋内５１の温熱環境を調整する空調機器３を制御する。また、温度調整部１２は、通気部材２、および空調機器３を制御する動作モードとして、通気部材２を通気状態、且つ空調機器３を停止させる通気モードと、通気部材２を通気停止状態、且つ空調機器３を稼働させる空調モードとを備える。そして、温度調整部１２は、屋内気温Ｃ１と外気温Ｃ２との温度差（内外温度差Ｃ３）と第１閾値との比較結果に基づいて、動作モードを通気モードと空調モードとの一方に切り替えることで、屋内気温Ｃ１を目標温度範囲Ｃ１０内に調整する。
【００５３】
時間計測部１３は、通気モードが継続する通気時間を計測する。時間比較部１４は、通気時間と第２閾値とを比較する。閾値設定部１５は、通気時間と第２閾値との比較結果に基づいて、第１閾値の更新処理を行う。
【００５４】
そして、温度調整部１２は、空調モード時において、屋内気温Ｃ１が目標下限温度Ｃ１２（目標温度範囲Ｃ１０の下限値）以下、内外温度差Ｃ３が第１閾値以上である場合、動作モードを空調モードから通気モードに切り替える。また、温度調整部１２は、通気モード時において、屋内気温Ｃ１が目標上限温度Ｃ１１（目標温度範囲Ｃ１０の上限値）以上となった場合、動作モードを通気モードから空調モードに切り替える。
【００５５】
閾値設定部１５は、通気時間が第２閾値以上である場合、第１閾値の設定値を維持し、通気時間が第２閾値未満である場合、第１閾値の設定値を増加させる、第１閾値の更新処理を行う。
【００５６】
また、本実施形態の通風制御システム１０は、上記通風制御装置１と、通気部材２と、空調機器３と、屋内温度（屋内気温Ｃ１）を計測する第１計測部４１と、屋外温度（外気温Ｃ２）を計測する第２計測部４２とを備える。
【００５７】
また、本実施形態のプログラムは、コンピュータを上記通風制御装置１として機能させる。
【００５８】
このように、本実施形態の通風制御装置１、通風制御システム１０、およびプログラムは、通気時間が第２閾値以上となるように、第１閾値の設定値が更新される。これにより、通気時間が確保され、外気を有効活用しつつ空調機器３の故障を抑制することができる。
【００５９】
また、本実施形態の通風制御装置１において、閾値設定部１５は、第１閾値の設定範囲が決められており、第１閾値の初期値を設定範囲の下限値に設定している。そして、閾値設定部１５は、通気時間が第２閾値未満である場合、第１閾値の設定値を増加させる第１閾値の更新処理を行う。
【００６０】
すなわち、本実施形態では、通気時間が第２閾値以上となるまで、第１閾値の設定値を下限値（初期値）から徐々に増加させる更新処理を行う。したがって、容易な処理で確実に通気時間が第２閾値以上となるように、第１閾値の更新処理を行うことができる。
【００６１】
また、閾値設定部１５は、所定日数毎に第１閾値の設定値を低減するように構成されていてもよい。例えば、閾値設定部１５は、１０日毎、１ヶ月毎などの所定日数毎に第１閾値の設定値を初期値にリセットする。
【００６２】
屋内５１における人・電気機器などの構成、戸建住宅５の断熱・気密性能、季節などの変化によって温熱環境が変化した場合、通気モード時における屋内気温Ｃ１の温度上昇具合が変化する。このような場合、第１閾値の更新処理によって、第１閾値の設定値が不要に大きい値に維持され、空調モードの時間が長くなり外気を有効活用することができなくなるおそれがある。しかしながら、所定日数毎に第１閾値の設定値が低減するように構成することによって、第１閾値の設定値が不要に大きい値に維持されることを防止することができる。これにより、温熱環境の変化に合わせて第１閾値の設定値が適切な値となるように更新処理することができる。なお、所定日数毎に第１閾値の設定値を初期値にリセットする構成に限定せず、閾値設定部１５は、所定日数毎に第１閾値の設定値を所定値ずつ低減するように構成されていてもよい。これにより、少ない更新回数で、第１閾値の設定値が適切な値となるように設定することができる。
【００６３】
また、閾値設定部１５は、第１閾値の設定値が所定日数連続して同じ値である場合、第１閾値の設定値を低減させるように構成されていてもよい。例えば、閾値設定部１５は、第１閾値の設定値が、１０日毎、１ヶ月毎などの所定日数連続して同じ値である場合、第１閾値の設定値を初期値にリセットする、または所定値ずつ低減させる。このように構成することでも、第１閾値の設定値が不要に大きい値に維持されることを防止することができ、温熱環境の変化に合わせて第１閾値の設定値が適切な値となるように更新処理することができる。
【００６４】
さらにまた、閾値設定部１５は、第１閾値の更新処理において第１閾値の設定値の維持を所定回数連続して行った場合、第１閾値の設定値を低減させるように構成されていてもよい。例えば、閾値設定部１５は、第１閾値の更新処理において第１閾値の設定値の維持を、１０回等の所定回数連続して同じ値である場合、第１閾値の設定値を初期値にリセットする、または所定値ずつ低減させる。このように構成することでも、第１閾値の設定値が不要に大きい値に維持されることを防止することができ、温熱環境の変化に合わせて第１閾値の設定値が適切な値となるように更新処理することができる。
【００６５】
また、本実施形態では、通気時間が１回でも第２閾値未満である場合、第１閾値の設定値を増加させる更新処理を行っているが、この構成に限定しない。第１閾値の設定値を増加させる更新処理を行う条件として以下の例がある。例えば、通気時間が第２閾値未満である回数が所定の複数回数となった場合、第１閾値の設定値を増加させる更新処理を行う。または、例えば通気時間と第２閾値とを比較した直近の所定回数のうち、通気時間が第２閾値未満である回数が半数以上である場合、第１閾値の設定値を増加させる更新処理を行う。このように、通気時間と第２閾値との比較を複数回行い、第１閾値の設定値を増加させるか否かを判断することで、温熱環境が一時的に変化した場合に、第１閾値の設定値が不要に大きく設定されることを防止することができる。
【００６６】
また、外気温Ｃ２の変化の傾きが「正」である場合（時間経過とともに外気温Ｃ２が上昇する場合）、通気モード中に内外温度差Ｃ３が減少するので通気時間が短くなり、第１閾値の更新処理において設定値が不要に大きく設定されるおそれがある。そこで、時間計測部１３は、通気モードの実行開始時における内外温度差Ｃ３が第１閾値と一致していても、外気温Ｃ２の変化の傾きが「正」である場合、通気時間のカウントを行わないように構成してもよい。これにより、第１の閾値の更新処理において設定値が不要に大きく設定されることを防止することができる。
【００６７】
また、本実施形態では、第１計測部４１は、屋内温度として屋内気温Ｃ１を計測するように構成されているが、屋内気温Ｃ１に加えて屋内湿度も計測し、屋内温度として屋内５１の体感温度を計測するように構成されていてもよい。同様に、第２計測部４２は、屋外温度として外気温Ｃ２を計測するように構成されているが、外気温Ｃ２に加えて屋外湿度も計測し、屋外温度として屋外５２の体感温度を計測するように構成されていてもよい。体感温度は、例えば下記式（１）に示すミスナールの式によってもとめることができる。なお、式（１）において、体感温度をＭ、気温をＴ、相対湿度をＨとする。
【００６８】
【数１】
2016070522.tif 000003
【００６９】
なお、式（１）は、体感温度を求める演算式の一例であり、他の演算式を用いてもよい。また、風速などのパラメータも用いて体感温度を求めてもよい。また、温度情報取得部１１が、第１計測部４１、第２計測部４２それぞれから温度計測結果、湿度計測結果を取得し、屋内５１および屋外５２の体感温度を算出するように構成されていてもよい。
【００７０】
そして、通風制御装置１は、屋内５１および屋外５２の体感温度をパラメータとして、温度調整制御（図２参照）、第１閾値の更新処理（図３参照）を行う。このように、体感温度をパラメータに用いることによって、より人体の温度感覚に適した通風制御を行うことができる。
（実施形態２）
本実施形態の概略構成を図７に示す。本実施形態の通風制御装置１は、実施形態１の通風制御装置１の構成に加えて、通気モード時における屋内気温Ｃ１の時間変化の基準データが予め格納された記憶部１７を備えている。なお、実施形態１の通風制御装置１と同様の構成には同一符号を付して説明を省略する。
【００７１】
本実施形態の通風制御装置１は、温度情報取得部１１、温度調整部１２、時間計測部１３、時間比較部１４Ａ、閾値設定部１５Ａ、および記憶部１７を備える。なお、温度情報取得部１１、温度調整部１２、および時間計測部１３は、実施形態１と同様であるので説明を省略する。
【００７２】
記憶部１７は、内外温度差Ｃ３に対応付けて設定された通気モード時における屋内気温Ｃ１の時間変化の基準データが予め格納されている。具体的には、基準データは、屋内５１における人・電気機器などの構成、戸建住宅５の断熱・気密性能、季節などによる温熱環境に基づいて予測された単位時間当たりにおける屋内気温Ｃ１の上昇温度を示している。
【００７３】
本実施形態では、図８に示すように、内外温度差Ｃ３の値Ｃｘ１１〜Ｃｘ１３に対応付けられた基準データＹ１１〜Ｙ１３が記憶部１７に格納されている。なお、内外温度差Ｃ３の値Ｃｘ１１〜Ｃｘ１３の大小関係は、値Ｃｘ１１＜値Ｃｘ１２＜値Ｃｘ１３であり、値Ｃｘ１１が基準データＹ１１に対応し、値Ｃｘ１２が基準データＹ１２に対応し、値Ｃｘ１３が基準データＹ１３に対応している。また、単位時間Ｔａ１当たりにおいて、内外温度差Ｃ３が値Ｃｘ１１である場合の上昇温度はＣｕ１１、内外温度差Ｃ３が値Ｃｘ１２である場合の上昇温度はＣｕ１２、内外温度差Ｃ３が値Ｃｘ１３である場合の上昇温度はＣｕ１３となる。図８に示すように、内外温度差Ｃ３の値が大きくなるにつれて、屋内気温Ｃ１の時間変化の傾きが小さくなり、上昇温度Ｃｕ１１〜Ｃｕ１３の大小関係は、上昇温度Ｃｕ１１＞上昇温度Ｃｕ１２＞上昇温度Ｃｕ１３となる。なお、本実施形態では、３つの基準データＹ１１〜Ｙ１３が記憶部１７に格納されているが、４つ以上のの基準データが記憶部１７に格納されていてもよい。
【００７４】
時間比較部１４Ａは、時間計測部１３が計測した通気時間を、予め設定された第２閾値、および第２閾値よりも所定値大きい第３閾値とを比較する。本実施形態では、第２閾値が通気時間の目標下限値に相当し、第３閾値が通気時間の目標上限値に相当する。
【００７５】
閾値設定部１５Ａは、通気時間が第２閾値以上、且つ第３閾値未満となるように、第２閾値、目標温度範囲Ｃ１０、および記憶部１７に格納された基準データに基づいて、第１閾値の初期値を設定する。具体的には、閾値設定部１５Ａは、目標温度範囲Ｃ１０の温度幅（目標上限温度Ｃ１１−目標下限温度Ｃ１２）を、第２閾値の設定値で除算することで、通気モード時における屋内気温Ｃ１の温度上昇の傾きの目標値を求める。そして、閾値設定部１５Ａは、記憶部１７を参照して、求めた傾きの目標値と一致する傾きの値を有する基準データを選択し、この基準データに対応する内外温度差Ｃ３の値を第１閾値の初期値に設定する。なお、閾値設定部１５Ａは、求めた傾きの目標値と一致するデータが記憶部１７に格納されていない場合、目標値よりも小さく、且つ目標値に最も近い値を有する基準データを選択し、この基準データに対応する内外温度差Ｃ３の値を第１閾値の初期値に設定する。
【００７６】
また、閾値設定部１５Ａは、通気時間と第２閾値、第３閾値との比較結果に基づいて、第１閾値の更新処理を行う。閾値設定部１５Ａは、通気時間が第２閾値未満である場合、第１閾値の設定値を増加させる更新処理を行う。また、閾値設定部１５Ａは、通気時間が第２閾値以上、且つ第３閾値未満である場合、第１閾値の設定値を維持する更新処理を行う。また、閾値設定部１５Ａは、通気時間が第３閾値以上である場合、第１閾値の設定値を低減させる更新処理を行う。
【００７７】
次に、第１閾値の更新処理について、図９に示すフローチャートを用いて詳細に説明する。なお、温度調整部１２による屋内気温Ｃ１の温度調整制御は、実施形態１と同様であるので、説明を省略する（図２参照）。
【００７８】
まず、時間計測部１３は、温度調整部１２が通気モードの実行開始時における、内外温度差Ｃ３と第１閾値とが一致しているか否かを判断する（Ｓ２１）。時間計測部１３は、通気モードの実行開始時において、内外温度差Ｃ３が第１閾値よりも大きい場合、通気時間のカウントを行わない。この場合、第１閾値の更新処理が行われず終了する。
【００７９】
一方、時間計測部１３は、通気モードの実行開始時において、内外温度差Ｃ３と第１閾値とが一致している場合、通気時間をカウントする（Ｓ２２）。時間計測部１３は、通気モードの実行開始から通気モードの終了までの通気時間をカウントし、計測結果を時間比較部１４に出力する。
【００８０】
時間比較部１４Ａは、時間計測部１３が計測した通気時間と第２閾値とを比較する（Ｓ２３）。そして、閾値設定部１５Ａは、通気時間が第２閾値未満である場合、第１閾値の設定値を現在の値から所定値増加させる更新処理を行う（Ｓ２４）。
【００８１】
一方、通気時間が第２閾値以上である場合、時間比較部１４Ａは、通気時間と第３閾値とを比較する（Ｓ２５）。そして、閾値設定部１５Ａは、通気時間が第３閾値未満である場合、第１閾値の設定値を現在の値に維持する更新処理を行う（Ｓ２６）。一方、閾値設定部１５Ａは、通気時間が第３閾値以上である場合、第１閾値の設定値を現在の値から低減させる更新処理を行う（Ｓ２７）。
【００８２】
次に、図１０に示す屋内温度および屋外温度のグラフを用いて、本実施形態の通風制御装置１の動作の一例を説明する。図１０は、制御初日における通風制御装置１の動作の一例である。ここでは、夏季における夜間の就寝時を想定しており、図１０に示すように、外気温Ｃ２は屋内気温Ｃ１よりも低く時間経過とともに低下する。
【００８３】
制御初日であるので、第１閾値の設定値（初期値）は、上述したように第２閾値、目標温度範囲Ｃ１０、および記憶部１７に格納された基準データに基づいて設定される。ここでは、値Ｃｘ１２が第１閾値の初期値に設定されているとする。以降の説明では、第１閾値の設定値が値Ｃｘ１２である場合、「第１閾値Ｃｘ１２」という。また、第２閾値の設定値は値Ｔｘ１、第３閾値の設定値は値Ｔｘ２に設定されており、以降の説明では、「第２閾値Ｔｘ１」、「第３閾値Ｔｘ２」という。
【００８４】
時間ｔ２１において、制御が開始される。このとき、屋内気温Ｃ１が目標下限温度Ｃ１２以上であるので、温度調整部１２は、空調モードを実行し、屋内気温Ｃ１が目標下限温度Ｃ１２となるように空調機器３を冷房運転させる。
【００８５】
時間ｔ２２において、屋内気温Ｃ１が目標下限温度Ｃ１２と一致する。このとき、内外温度差Ｃ３が第１閾値Ｃｘ１２未満であるので、温度調整部１２は、内外温度差Ｃ３が第１閾値Ｃｘ１２以上となるまで、空調モードを継続し屋内気温Ｃ１を目標下限温度Ｃ１２に維持する。
【００８６】
時間ｔ２３において、内外温度差Ｃ３が第１閾値Ｃｘ１２と一致し、温度調整部１２は、動作モードを空調モードから通気モードに切り替える、すなわち空調機器３を停止し、通気部材２を通気状態にする。また、時間計測部１３は、通気モードの実行開始時における内外温度差Ｃ３が第１閾値Ｃｘ１２と一致しているので、通気時間のカウントを開始する。
【００８７】
時間ｔ２４において、屋内気温Ｃ１が目標上限温度Ｃ１１と一致し、温度調整部１２は、動作モードを通気モードから空調モードに切り替える、すなわち通気部材２を通気停止状態とし、屋内気温Ｃ１が目標下限温度Ｃ１２となるように空調機器３を冷房運転させる。また、時間計測部１３は、通気時間のカウントを終了する。このとき時間計測部１３が計測した通気時間を「通気時間Ｔ１１」とする。時間比較部１４は、時間計測部１３が計測した通気時間Ｔ１１と第２閾値Ｔｘ１、第３閾値Ｔｘ２とを比較する。そして、閾値設定部１５は、通気時間Ｔ１１と第２閾値Ｔｘ１、第３閾値Ｔｘ２との比較結果に基づいて第１閾値の更新処理を行う。ここでは、図１０に示すように、通気時間Ｔ１１が第２閾値Ｔｘ１以上、且つ第３閾値Ｔｘ２未満であり、閾値設定部１５は第１閾値の設定値を値Ｃｘ１２に維持する更新処理を行う。
【００８８】
時間ｔ２５において、屋内気温Ｃ１が目標下限温度Ｃ１２と一致する。このとき、内外温度差Ｃ３が第１閾値Ｃｘ１２以上であるので、温度調整部１２は、動作モードを空調モードから通気モードに切り替える。また、通気モードの実行開始時における内外温度差Ｃ３が第１閾値Ｃｘ１２よりも大きいので、時間計測部１３は通気時間のカウントを行わず、第１閾値Ｃｘ１２の更新処理が行われない。そして、時間ｔ２５以降は、温度調整部１２が通気モードと空調モードとを交互に繰り返して、屋内気温Ｃ１を目標温度範囲Ｃ１０内に調整する。なお、制御初日において、時間ｔ２５以降は、第１閾値Ｃｘ１２の更新処理は行われていないとする。
【００８９】
このように、本実施形態では、記憶部１７に格納された基準データを用いて通気時間を予測し、通気時間が第２閾値以上、且つ第３閾値未満となるように第１閾値の初期値が設定される。これにより、制御初日における通気モードの初回目から通気時間が第２閾値以上、第３閾値未満に制御することができ、外気を有効活用することができる。また、空調機器３が稼働・停止を繰り返す回数も低減されるので、空調機器３の故障を抑制することができる。
【００９０】
次に、図１１を用いて温熱環境が制御初日から変化した場合における通風制御装置１の動作の一例について説明する。
【００９１】
ここでは、屋内５１における人・電気機器などの構成、戸建住宅５の断熱・気密性能、季節などの変化によって温熱環境が制御初日から変化している。なお、制御開始時における第１閾値の設定値は、値Ｃｘ１２に設定されているとする。
【００９２】
時間ｔ３１において、制御が開始される。このとき、屋内気温Ｃ１が目標下限温度Ｃ１２以上であるので、温度調整部１２は、空調モードを実行し、屋内気温Ｃ１が目標下限温度Ｃ１２となるように空調機器３を冷房運転させる。
【００９３】
時間ｔ３２において、屋内気温Ｃ１が目標下限温度Ｃ１２と一致する。このとき、内外温度差Ｃ３が第１閾値Ｃｘ１２未満であるので、温度調整部１２は、内外温度差Ｃ３が第１閾値Ｃｘ１２以上となるまで、空調モードを継続し屋内気温Ｃ１を目標下限温度Ｃ１２に維持する。
【００９４】
時間ｔ３３において、内外温度差Ｃ３が第１閾値Ｃｘ１２と一致し、温度調整部１２は、動作モードを空調モードから通気モードに切り替える、すなわち空調機器３を停止し、通気部材２を通気状態にする。また、時間計測部１３は、通気モードの実行開始時における内外温度差Ｃ３が第１閾値Ｃｘ１２と一致しているので、通気時間のカウントを開始する。
【００９５】
時間ｔ３４において、屋内気温Ｃ１が目標上限温度Ｃ１１と一致し、温度調整部１２は、動作モードを通気モードから空調モードに切り替える、すなわち通気部材２を通気停止状態とし、屋内気温Ｃ１が目標下限温度Ｃ１２となるように空調機器３を冷房運転させる。
【００９６】
また、時間計測部１３は、通気時間のカウントを終了する。このとき時間計測部１３が計測した通気時間を「通気時間Ｔ１２」とする。時間比較部１４Ａは、時間計測部１３が計測した通気時間Ｔ１２と第２閾値Ｔｘ１、第３閾値Ｔｘ２とを比較する。そして、閾値設定部１５Ａは、通気時間Ｔ１２と第２閾値Ｔｘ１、第３閾値Ｔｘ２との比較結果に基づいて第１閾値の更新処理を行う。ここで、図１１に示すように、温熱環境の変化によって、通気時間Ｔ１２は、制御初日に計測された通気時間Ｔ１１よりも長くなり、第３閾値Ｔｘ２以上となっている。したがって、閾値設定部１５Ａは、第１閾値の設定値を値Ｃｘ１２から値Ｃｘ１１に低減する更新処理を行う。
【００９７】
時間ｔ３５において、屋内気温Ｃ１が目標下限温度Ｃ１２と一致する。このとき、内外温度差Ｃ３が第１閾値Ｃｘ１１以上であるので、温度調整部１２は、動作モードを空調モードから通気モードに切り替える。また、通気モードの実行開始時における内外温度差Ｃ３が第１閾値Ｃｘ１１よりも大きいので、時間計測部１３は通気時間のカウントを行わず、第１閾値Ｃｘ１１の更新処理が行われない。そして、時間ｔ３５以降は、温度調整部１２が通気モードと空調モードとを交互に繰り返して、屋内気温Ｃ１を目標温度範囲Ｃ１０内に調整する。
【００９８】
このように、本実施形態では、第１閾値の設定値を増減させ、第１閾値の設定値が第２閾値以上、且つ第３閾値未満となるように更新処理する。これにより、温熱環境の変化に合わせて、第１閾値の設定値をリセットすることなく最適な値に素早く設定することができる。
【００９９】
上述したように、本実施形態の通風制御装置１の閾値設定部１５Ａは、通気時間が第２閾値未満である場合、第１閾値の設定値を増加させる第１閾値の更新処理を行う。また、閾値設定部１５Ａは、通気時間が第２閾値以上、且つ第２閾値よりも大きい第３閾値未満である場合、第１閾値の設定値を維持する第１閾値の更新処理を行う。また、閾値設定部１５Ａは、通気時間が第３閾値以上である場合、第１閾値の設定値を低減させる第１閾値の更新処理を行う。
【０１００】
これにより、温熱環境の変化に合わせて、第１閾値の設定値をリセットすることなく最適な値に素早く設定することができる。
【０１０１】
また、上述したように、本実施形態の通風制御装置１は、屋内気温Ｃ１と外気温Ｃ２との温度差（内外温度差Ｃ３）に対応付けて設定された通気モード時における屋内気温Ｃ１の時間変化の基準データが予め格納された記憶部１７を備える。そして、閾値設定部１５Ａは、通気時間が第２閾値以上、且つ第３閾値未満となるように、第２閾値、目標温度範囲Ｃ１０、および基準データに基づいて第１閾値の初期値を設定する。
【０１０２】
これにより、制御初日における通気モードの初回目から通気時間が第２閾値以上、第３閾値未満に制御することができ、外気を有効活用することができる。また、空調機器３が稼働・停止を繰り返す回数も低減されるので、空調機器３の故障を抑制することができる。
（実施形態３）
本実施形態の概略構成を図１２に示す。本実施形態の通風制御装置１は、第１閾値の更新処理を行うか否かの条件が実施形態２の通風制御装置１と異なる。なお、実施形態２の通風制御装置１と同様の構成には同一符号を付して説明を省略する。
【０１０３】
本実施形態の通風制御装置１は、温度情報取得部１１、温度調整部１２、時間計測部１３、時間比較部１４Ａ、閾値設定部１５Ｂ、記憶部１７、および上昇温度比較部１８を備える。温度情報取得部１１、温度調整部１２、時間計測部１３、時間比較部１４Ａ、および記憶部１７は、実施形態２と同様であるので説明を省略する。
【０１０４】
上昇温度比較部１８は、通気モード時における屋内気温Ｃ１の時間変化の傾きの実測値と、記憶部１７に格納された基準データに基づく屋内気温Ｃ１の時間変化の傾きの基準値との差を所定の第４閾値と比較する。具体的には、上昇温度比較部１８は、通気モード時において、単位時間Ｔａ１当たりにおける屋内気温Ｃ１の上昇温度の実測値（以降、上昇温度実測値という）を求める。さらに、上昇温度比較部１８は、記憶部１７を参照して、通気モードの実行開始時における内外温度差Ｃ３に対応した基準データから、単位時間Ｔａ１当たりにおける屋内気温Ｃ１の上昇温度を基準値（以降、上昇温度基準値という）として求める（図８参照）。そして、上昇温度比較部１８は、上昇温度実測値と上昇温度基準値との差の絶対値（以降、温度差分値Ｃ４という）を、第４閾値と比較する。すなわち、上昇温度比較部１８は、上昇温度実測値が、記憶部１７に格納された基準データに基づく予測範囲内であるか否かを判断する。
【０１０５】
閾値設定部１５Ｂは、記憶部１７に格納された基準データに対応する複数の内外温度差Ｃ３の値から１つ選択して、第１閾値の初期値に設定する。本実施形態では、値Ｃｘ１２が第１閾値の初期値に設定されているとする。
【０１０６】
また、閾値設定部１５Ｂは、温度差分値Ｃ４が第４閾値以下である場合、第１閾値の更新処理を行い、温度差分値が第４閾値よりも大きい場合、第１閾値の更新処理は行わない。すなわち、閾値設定部１５Ｂは、上昇温度実測値が基準データに基づく予測範囲内である場合、第１閾値の更新処理を行い、上昇温度実測値が予測範囲外である場合、第１閾値の更新処理を行わない。
【０１０７】
次に、第１閾値の更新処理について、図１３に示すフローチャートを用いて詳細に説明する。なお、温度調整部１２による屋内気温Ｃ１の温度調整制御は、実施形態１と同様であるので、説明を省略する（図２参照）。
【０１０８】
まず、時間計測部１３は、温度調整部１２が通気モードの実行開始時における、内外温度差Ｃ３と第１閾値とが一致しているか否かを判断する（Ｓ３１）。時間計測部１３は、通気モードの実行開始時において、内外温度差Ｃ３が第１閾値よりも大きい場合、通気時間のカウントを行わない。この場合、閾値設定部１５は、第１閾値の更新処理を行わず処理が終了する。
【０１０９】
一方、時間計測部１３は、通気モードの実行開始時において、内外温度差Ｃ３と第１閾値とが一致している場合、通気時間をカウントする（Ｓ３２）。時間計測部１３は、通気モードの実行開始から通気モードの終了までの通気時間をカウントし、計測結果を時間比較部１４に出力する。
【０１１０】
また、上昇温度比較部１８は、通気モード時における上昇温度実測値と、通気モードの実行開始時における内外温度差Ｃ３に対応した上昇温度基準値とを求め、温度差分値Ｃ４と第４閾値とを比較する（Ｓ３３）。閾値設定部１５Ｂは、温度差分値Ｃ４が第４閾値より大きい場合、第１閾値の更新処理を行わず終了する。
【０１１１】
一方、温度差分値Ｃ４が第４閾値以下である場合、時間比較部１４Ａは、時間計測部１３が計測した通気時間と第２閾値とを比較する（Ｓ３４）。そして、閾値設定部１５Ｂは、通気時間が第２閾値未満である場合、第１閾値の設定値を現在の値から所定値増加させる更新処理を行う（Ｓ３５）。
【０１１２】
一方、通気時間が第２閾値以上である場合、時間比較部１４Ａは、通気時間と第３閾値とを比較する（Ｓ３６）。そして、閾値設定部１５Ｂは、通気時間が第３閾値未満である場合、第１閾値の設定値を現在の値に維持する更新処理を行う（Ｓ３７）。一方、閾値設定部１５Ｂは、通気時間が第３閾値以上である場合、第１閾値の設定値を現在の値から低減させる更新処理を行う（Ｓ３８）。
【０１１３】
次に、図１４に示す屋内温度および屋外温度のグラフを用いて、本実施形態の通風制御装置１の動作の一例を説明する。図１４は、制御初日における通風制御装置１の動作の一例である。
【０１１４】
制御初日であるので、第１閾値の設定値（初期値）は、上述したように記憶部１７に格納された基準データに対応する複数の内外温度差Ｃ３の値から選択して設定されており、本実施形態では、値Ｃｘ１２が第１閾値の初期値に設定されている。以降の説明では、第１閾値の設定値が値Ｃｘ１２である場合、「第１閾値Ｃｘ１２」という。また、第２閾値の設定値は値Ｔｘ１、第３閾値の設定値は値Ｔｘ２に設定されており、以降の説明では、「第２閾値Ｔｘ１」、「第３閾値Ｔｘ２」という。
【０１１５】
時間ｔ４１において、制御が開始される。このとき、屋内気温Ｃ１が目標下限温度Ｃ１２以上であるので、温度調整部１２は、空調モードを実行し、屋内気温Ｃ１が目標下限温度Ｃ１２となるように空調機器３を冷房運転させる。
【０１１６】
時間ｔ４２において、屋内気温Ｃ１が目標下限温度Ｃ１２と一致する。このとき、内外温度差Ｃ３が第１閾値Ｃｘ１２未満であるので、温度調整部１２は、内外温度差Ｃ３が第１閾値Ｃｘ１２以上となるまで、空調モードを継続し屋内気温Ｃ１を目標下限温度Ｃ１２に維持する。
【０１１７】
時間ｔ４３において、内外温度差Ｃ３が第１閾値Ｃｘ１２と一致し、温度調整部１２は、動作モードを空調モードから通気モードに切り替える、すなわち空調機器３を停止し、通気部材２を通気状態にする。また、時間計測部１３は、通気モードの実行開始時における内外温度差Ｃ３が第１閾値Ｃｘ１２と一致しているので、通気時間のカウントを開始する。
【０１１８】
時間ｔ４４において、屋内気温Ｃ１が目標上限温度Ｃ１１と一致し、温度調整部１２は、動作モードを通気モードから空調モードに切り替える、すなわち通気部材２を通気停止状態とし、屋内気温Ｃ１が目標下限温度Ｃ１２となるように空調機器３を冷房運転させる。また、時間計測部１３は、通気時間のカウントを終了する。このとき時間計測部１３が計測した通気時間を「通気時間Ｔ２１」とする。
【０１１９】
また、上昇温度比較部１８は、上昇温度実測値と上昇温度基準値との差（温度差分値Ｃ４）と第４閾値とを比較する。図１４に示すように、時間ｔ４３から時間ｔ４４までの通気モード時において、単位時間Ｔａ１当たりの屋内気温Ｃ１の上昇温度はＣｕ１である、すなわち上昇温度実測値がＣｕ１と求められる。また、通気モードの実行開始時における内外温度差Ｃ３の値がＣｘ１２であるので、図８に示すように、内外温度差Ｃ３の値Ｃｘ１２に対応する基準データＹ１２に基づいて、単位時間Ｔａ１当たりにおける上昇温度Ｃｕ１２が上昇温度基準値と求められる。したがって、上昇温度比較部１８は、上昇温度実測値Ｃｕ１と上昇温度基準値Ｃｕ１２との差を温度差分値Ｃ４として、第４閾値と比較する。ここでは、温度差分値Ｃ４が第４閾値以下である、すなわち、上昇温度実測値Ｃｕ１が記憶部１７に格納された基準データＹ１２に基づく予測範囲内であるとする。したがって、閾値設定部１５Ｂは、第１閾値の更新処理を行う。
【０１２０】
図１４に示すように、時間計測部１３が計測した通気時間Ｔ２１が、第２閾値Ｔｘ１以上、且つ第３閾値Ｔｘ２未満であるので、閾値設定部１５Ｂは、第１閾値の設定値を値Ｃｘ１２に維持する更新処理を行う。
【０１２１】
時間ｔ４５において、屋内気温Ｃ１が目標下限温度Ｃ１２と一致する。このとき、内外温度差Ｃ３が第１閾値Ｃｘ１２以上であるので、温度調整部１２は、動作モードを空調モードから通気モードに切り替える。また、通気モードの実行開始時における内外温度差Ｃ３が第１閾値Ｃｘ１２よりも大きいので、時間計測部１３は通気時間のカウントを行わず、第１閾値Ｃｘ１２の更新処理が行われない。そして、時間ｔ４５以降は、温度調整部１２が通気モードと空調モードとを交互に繰り返して、屋内気温Ｃ１を目標温度範囲Ｃ１０内に調整する。
【０１２２】
このように、本実施形態では、閾値設定部１５Ｂは、上昇温度実測値と上昇温度基準値との差（温度差分値Ｃ４）が第４閾値以下である場合にのみ、第１閾値の更新処理を行う。例えば、屋内５１における人・電気機器などの構成の一時的な変化によって、上昇温度実測値が変化して温度差分値Ｃ４が第４閾値より大きくなった場合は、第１閾値の更新処理が行われない。すなわち、温熱環境が一時的に変化した場合に、第１閾値の更新処理が行われないので、第１閾値の設定値が不要に変化することを防止することができる。
【０１２３】
また、通気時間が第２閾値以上、且つ第３閾値未満となるように第１閾値が更新された後に、第２閾値、および第３閾値の設定値が変更、すなわち通気時間の目標範囲が変更される場合がある。このような場合、温熱環境が変化していなくても、第１閾値の更新処理によって、通気時間が変更後の目標範囲内となるように第１閾値の設定値が増減される。
【０１２４】
上述したように、本実施形態の通風制御装置１は、屋内気温Ｃ１と外気温Ｃ２との温度差（内外温度差Ｃ３）に対応付けて設定された通気モード時における屋内気温Ｃ１の時間変化の基準データが予め格納された記憶部１７を備える。そして、閾値設定部１５Ｂは、通気モード時における屋内気温Ｃ１の時間変化の傾きの実測値（上昇温度実測値）と、記憶部１７に格納された基準データに基づく屋内気温Ｃ１の時間変化の傾きの基準値（上昇温度基準値）との差（温度差分値）を求める。そして、閾値設定部１５Ｂは、温度差分値が所定値（第４閾値）以内である場合、第１閾値の更新処理を行う。
【０１２５】
これにより、例えば、屋内５１における人・電気機器などの構成の一時的な変化によって、上昇温度実測値が変化して温度差分値Ｃ４が第４閾値より大きくなった場合、第１閾値の更新処理が行われない。すなわち、温熱環境が一時的に変化した場合に、第１閾値の更新処理が行われないので、第１閾値の設定値が不要に変化することを防止することができる。
【０１２６】
また、記憶部１７に格納されている基準データは、上昇温度実測値に基づいて更新するように構成されていてもよい。例えば、温度差分値Ｃ４が第４閾値以上である回数が所定回数連続した場合、上昇温度実測値に基づいて基準データが更新される。このように構成することによって、温熱環境が継続的に変換した場合に、この温熱環境の変化に応じた基準データが生成され、第１閾値の設定値が適切な値となるように更新処理を行うことができる。
【０１２７】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【０１２８】
１  通風制御装置
１１  温度情報取得部
１２  温度調整部
１３  時間計測部
１４  時間比較部
１５  閾値設定部
２  通気部材
３  空調機器
【図１】
2016070522.tif 000004
【図２】
2016070522.tif 000005
【図３】
2016070522.tif 000006
【図４】
2016070522.tif 000007
【図５】
2016070522.tif 000008
【図６】
2016070522.tif 000009
【図７】
2016070522.tif 000010
【図８】
2016070522.tif 000011
【図９】
2016070522.tif 000012
【図１０】
2016070522.tif 000013
【図１１】
2016070522.tif 000014
【図１２】
2016070522.tif 000015
【図１３】
2016070522.tif 000016
【図１４】
2016070522.tif 000017